Podtech/llm-jp-corpus-v4-ja_patent huggingface dataset:
(57)【要約】【課題】この発明は、歩行中でも足の裏を指圧することが出来、しかも、靴内が衛生的であり、又、必要とする箇所に指圧駒を着脱自在に設ける事が出来、且つ、ストッキングや靴下等を損傷する事のない靴の中敷用指圧器を開発・提供するものである。【解決手段】よもぎを原料の一部として使用した、やや軟質な素材で形成した中敷材を設け、該中敷材には、規則正しく無数の小穴を形成し、且つ、該小穴と小穴の中間部表面側には、小穴と交互に規則正しく無数の半球状の突起部を設け、且つ、裏面側には、所定間隔空けた複数の円筒上の突起部を設け、且つ、該小穴には、磁性体を素材とし、突起した頭部と、該頭部には、前記小穴に適合する係合片を有する指圧駒を、一又は複数裏面側から嵌挿して設けた靴の中敷用指圧器である。【選択図】  図１
2004242999.tif 000002
【特許請求の範囲】
【請求項１】
靴の中敷において、よもぎを原料の一部として使用した、やや軟質な素材で形成した中敷材（１）を設け、該中敷材（１）には、規則正しく無数の小穴（１ａ）を形成し、且つ、該小穴（１ａ）と小穴（１ａ）の中間部表面側には、小穴（１ａ）と交互に規則正しく無数の半球状の突起部（１ｂ）を設け、且つ、中敷材（１）の裏面側には、所定間隔（Ｐ）空けた複数の円柱状の突起部（１ｃ）を設け、且つ、該小穴（１ａ）には、磁性体を素材とし、突起した頭部（２ｂ）と、該頭部には、前記小穴（１ａ）に適合する係合片（２ａ）を有する指圧駒（２）を、一又は複数裏面側から嵌挿して設けた事を特徴とする靴の中敷用指圧器。
【発明の詳細な説明】
【０００１】
【発明の属する技術分野】
この発明は、靴の中敷用指圧器に関するものである。
【０００２】
【従来の技術】
従来、靴が足に比べて大きい場合に、靴の中敷きは、靴内に入れて調整したり、或いは、靴の中底が汚れている場合に、この中敷きを入れて、靴内を見た目に美麗にカムフラージュする為に使用されるものである。
【０００３】
そして、一方、左右の足の裏には、ツボと称される身体の内臓等をはじめ、各部位の神経が、対称的にそれぞれ集中しており、この各ツボを指圧する事により、各部位を刺激して治療が出来るものである。
【０００４】
しかし、治療をするには、足の裏を常に手の指で押圧する事が必要であり、家庭等で寛いでいる場合にしか、出来なかった。
【０００５】
ところで、最近では、歩行中でも足の裏を指圧する事の出来る靴の中敷用指圧器が市場に出回っているが、それらはストッキングや靴下を履いて使用した場合、中敷材と中敷材の穴部に嵌挿して設けた指圧駒の頭部間にストッキングや靴下が喰い込んだり、挟まったりして損傷する為、苦情が出ている。
【０００６】
【発明が解決しようとする課題】
そこで、この発明は、これらの欠点を除去する為に、発明されたものであり、歩行中でも足の裏を指圧することが出来、しかも、靴内が衛生的であり、又、必要とする箇所に指圧駒を着脱自在に設ける事が出来、且つ、ストッキングや靴下等を損傷する事のない靴の中敷用指圧器を開発・提供するものである。
【０００７】
【課題を解決するための手段】
そこで、この課題を解決する為の手段として、よもぎを原料の一部として使用した、やや軟質な素材で形成した中敷材を設け、該中敷材には、規則正しく無数の小穴を形成し、且つ、該小穴と小穴の中間部表面側には、小穴と交互に規則正しく無数の半球状の突起部を設け、且つ、中敷材の裏面側には、所定間隔空けた複数の円柱状の突起部を設け、且つ、該小穴には、磁性体を素材とし、突起した頭部と、該頭部には、前記小穴に適合する係合片を有する指圧駒を、一又は複数裏面側から嵌挿して設けた靴の中敷用指圧器である。
【０００８】
【発明の実施の形態】
次に、この発明の好適な一実施例を図１〜図４に基づいて説明すると、靴の中敷において、よもぎを原料の一部として使用した、やや軟質な素材で形成した中敷材（１）を設け、該中敷材（１）には、規則正しく無数の小穴（１ａ）を形成し、且つ、該小穴（１ａ）と小穴（１ａ）の中間部表面側には、小穴（１ａ）と交互に規則正しく無数の半球状の突起部（１ｂ）を設け、且つ、中敷材（１）の裏面側には、所定間隔（Ｐ）空けた複数の円柱状の突起部（１ｃ）を設け、且つ、該小穴（１ａ）には、磁性体を素材とし、突起した頭部（２ｂ）と、該頭部には、前記小穴（１ａ）に適合する係合片（２ａ）を有する指圧駒（２）を、一又は複数裏面側から嵌挿して設けた事を特徴とする靴の中敷用指圧器から構成されるものである。
【０００９】
又、指圧駒（２）の素材は、磁性体で構成してもよく、その高さ・大きさについては、特に限定しない。
【００１０】
又、中敷材（１）の表面側ほぼ全面には、小穴（１ａ）と交互して半球状の突起部（１ｂ）を設け、足の裏のツボを刺激すると同時に、足の表面と中敷材（１）の表面間に隙間を設ける事で通気性を良くし、蒸れを解消する。
【００１１】
更に、中敷材（１）の裏面側ほぼ全面には、所定間隔（Ｐ）空けた複数の円柱状の突起部（１ｃ）を設け、前記同様通気性を良くし、且つ、指圧駒（２）等を裏面から嵌挿した際の凹凸による不安定感を無くし、安定した歩行が出来る様、配慮したものである。
【００１２】
【発明の効果】
この発明によると、よもぎを原料の一部として使用した、やや軟質な素材で形成した中敷材（１）を設け、該中敷材（１）には、規則正しく無数の小穴（１ａ）を形成し、且つ、該小穴（１ａ）と小穴（１ａ）の中間部表面側には、小穴（１ａ）と交互に規則正しく無数の半球状の突起部（１ｂ）を設け、且つ、中敷材（１）裏面側には、所定間隔（Ｐ）空けた複数の円筒上の突起部（１ｃ）を設け、且つ、該小穴（１ａ）には、磁性体を素材とし、突起した頭部（２ｂ）と、該頭部には、前記小穴（１ａ）に適合する係合片（２ａ）を有する指圧駒（２）を、一又は複数裏面側から嵌挿して設けた事により、使用者が必要とする箇所に指圧駒（２）を着脱自在に設ける事が出来、且つ、ストッキングや靴下等の損傷を防止出来、且つ、抗菌作用があり、靴内での汗の臭い等も防止出来る等、極めて有益なる効果を奏するものである。
【図面の簡単な説明】
【図１】この発明の一実施例を示す、平面図である。
【図２】この発明の一実施例を示す、裏面図である。
【図３】この発明の一実施例を示す、（Ａ）は図１のａ−ａ断面図で、（Ｂ）は図１のｂ−ｂ断面図である。
【図４】この発明の一実施例を示す、図３（Ａ）のａ部拡大詳細図である。
【図５】従来例を示す、指圧駒の取付部拡大詳細図である。
【符号の説明】
１  中敷材
１ａ  小穴
１ｂ  半球状の突起部
１ｃ  円柱状の突起部
２  指圧駒
２ａ  指圧駒の係合片
２ｂ  指圧駒の頭部
３  従来品の指圧駒
Ｐ  円柱状の突起部の所定間隔
【図１】
2004242999.tif 000003
【図２】
2004242999.tif 000004
【図３】
2004242999.tif 000005
【図４】
2004242999.tif 000006
【図５】
2004242999.tif 000007
(57)【要約】【課題】家電品収納庫の炊飯器、ポットの収納されている部分をワゴンとし、炊飯器やポットを載せたまま自由に移動できるワゴンを提供する。【解決手段】キッチンで使われる家電品収納庫において、炊飯器やポットを載せる下の段を、抜き出して移動できることができるワゴン式としたことを特長とする。【選択図】  図１
2004242765.tif 000002
【特許請求の範囲】
【請求項１】
キッチンで使われる家電品収納庫において、炊飯器やポットを載せる下の段を、抜き出して移動できることができるワゴン式としたことを特長とする。
【発明の詳細な説明】
【０００１】
【発明の属する技術分野】
本発明は、キッチンに関するものである。
【０００２】
【従来の技術】
図２は従来の家電品収納庫５の使用状態を示す斜視図である。
家電品収納庫５は、一般的に炊飯器３やポット４を下の段５−６に収納している。炊飯器３やポット４は、収納された状態のままでは使いにくいため、炊飯時やお茶を入れるときには、下の段５−６が引出せるように工夫されている。炊飯器３やポット４の収納されている部分の天井面には、これらの機器から発生する湯気を吸って水分と空気に分け、水分は水受けタンクに受け、空気は室内空気中に拡散する蒸気排出ユニット５−２を付けて、室内空気中の湿度が上がることによる黴や結露などの防止に一役買っている。例としては、東芝製の蒸気排出ユニットや松下電気産業製の蒸気処理機などがある。
【０００３】
【発明が解決しようとする課題】
従来の方法では、炊飯器３やポット４が稼働中には、蒸気排出ユニット５−２の下に納めて湯気対策を行っているので、炊飯行為やお茶を入れるのも、家電品収納庫のある場所に限られており、食卓付近で使用したいときには炊飯器３やポット４を家電品収納庫から降ろして移動しなければならなかった。
本発明は、家電品収納庫の炊飯器、ポットの収納されている部分をワゴンとし、炊飯器やポットを載せたまま自由に移動できるワゴンを提供する。
【０００４】
【課題を解決するための手段】
本発明は次のものに関する。
キッチンで使われる家電品収納庫において、炊飯器やポットを載せる下の段を、抜き出して移動できることができるワゴン式としたことを特長とする。
【０００５】
【発明の実施の形態】
以下図１を用いて本発明の説明を行う。
図１は本発明の家電品収納庫の斜視図である。
本発明の家電品収納庫は、炊飯器３やポット４を載せるワゴン部２とワゴンを納めるキャビネット部１から構成される。キャビネット部１は、側板・背板・天板で構成し、更にカウンター１−３を載せる構成を取る。キャビネットの素材は特に制約を設けないものとする。天板の下面には蒸気排出ユニット１−２を設置する。背板はなくても機能上の問題はないが、この蒸気排出ユニット１−２のコードを隠す役割もあり、実施例では設けることとした。
【０００６】
ワゴン部２は、キャビネット部１に納まるサイズで設計する。素材の制約は設けないが、実施例では、底面に方向性のない首ふりキャスター２−２を設けた。また、ワゴン部２を移動させる時の手掛けとしてハンドル２−４をカウンター２−３上の左右に設けた。下部２−１は収納空間とした。
【０００７】
【発明の効果】
蒸気排出ユニット付きのキャビネットに納める炊飯器やポットの収納部を、ワゴンにしたことにより、蒸気の発散がある炊飯時には、キャビネット内、配膳時には、食卓付近に移動して状況に応じて使い分けることができる効果がある。
また、ワゴン部は炊飯器やポット以外のものを運ぶ時にも使用することができる。
【図面の簡単な説明】
【図１】本発明の家電品収納庫を示す斜視図
【図２】従来の家電品収納庫を示す斜視図
【符号の説明】
１：キャビネット部
１−１：側板
１−２：蒸気排出ユニット
１−３：カウンター
２：ワゴン部
２−１：下部
２―２：キャスター
２―３：ワゴン部カウンター
２―４：ハンドル
３：炊飯器
４：ポット
５：従来の家電品収納庫
５−１：側板
５−２：蒸気排出ユニット
５−３：カウンター
５−４：蹴込み
５−５：下部収納
５−６：下の段
【図１】
2004242765.tif 000003
【図２】
2004242765.tif 000004
(57)【要約】【課題】犬の散歩時に用いる糞取り器の形状は、構造が複雑か、袋を保持するのにゴム輪など他部品を必要とし、対応する袋のサイズが固定か専用の袋を必要とするものがほとんどで、袋の装着および取り外しに手間がかかり、広く利用されるには、難があった。【解決手段】２の腕部分のスプリング効果で、袋に張力を与え保持する。複数のサイズに対応する。３の突起部に買い物袋のとって部を引っかける。【選択図】          図１
2004242520.tif 000002
【特許請求の範囲】
【請求項１】
掛け環の先端を切り欠き２本の腕状となし、別に設けられた突起部と共に、糞受け用の袋状の物を取り付けるに便ならしめたことを特徴とする犬の糞取り器。
【請求項２】
腕状部分には、必要に応じリブを設けスプリング（バネ）の効果を持たせ、取り付ける袋状の物に張力を与えて多数のサイズの袋を取り付け得るようにしたことを特徴とする請求項１記載の犬の糞取り器。
【請求項３】
先端の切り欠き部は、適切な間隔を持たして、糞の回収後その量が多いときであってもそのまま前方に簡単に取りはずしが出来ることが可能な形状を特徴とする請求項１記載の犬の糞取り器。
【発明の詳細な説明】
【０００１】
【発明の属する技術分野】
この発明は、犬の散歩時等に用いる犬の糞取り器の形状に関する。
【０００２】
【従来の技術】
従来、ペットの糞処理具として数多の構造のものが提案されているが、路上に落ちる前に受け取るタイプの犬の糞取り器としては、たとえば、図５に示すように、柄部の先端に掛け輪部分を取り付け、この掛け輪部分に専用の処理袋を輪ゴム、あるいは、紐等で固定するようにしたものである。
【０００３】
【発明が解決しようとする課題】
しかしながら、前述する従来の技術によれば、専用の袋を必要とするほか、糞受け用の袋状のものを取り付けるための輪ゴムや、糞を収容した袋を受ける為の別の袋を必要とし、さらに、掛け輪部分への袋の装着、糞を収容した袋の取り外し処理を行うに際して手を汚さず袋を掛け輪部分から取り外すことに煩わしさを有するものである。
そこで、この発明は、袋の取り付け取り外しが簡便でかつ安価な犬の糞取り器を提供することを課題とする。
【０００４】
【課題を解決するための手段】
以上の課題を解決するために、請求項１の発明は、掛け環の先端を切り欠き２本の腕状となし、別に設けられた突起部と共に、糞受け用の袋状の物を取り付けるに便ならしめたことを特徴とする犬の糞取り器である。
また、請求項２の発明は、腕状部分には、必要に応じリブを設けスプリング（バネ）の効果を持たせ、取り付ける袋状の物に張力を与えて多数のサイズの袋を取り付け得るようにしたことを特徴とする犬の糞取り器ある。
また、請求項３の発明は、先端の切り欠き部は、適切な間隔を持たして、糞の回収後その量が多いときであってもそのまま前方に簡単に取りはずしが出来ることが可能な形状を特徴とする犬の糞取り器である。
【０００５】
【発明の実施の形態】
この発明の一実施形態を、図１に示す。
糞取り器本体は、プラスチックで、掛け輪先端に切り欠き部１を持ち、これにより掛け輪部分が図に示すように腕状２となる。さらに、ス−パ−などで使われる買い物袋などの使用に便なるように引っかけ用の突起３を設けた。また腕状２に適当なスプリング効果を持たせるため、腕状２の補強を兼ねたリブ４を有する。本発明による糞取り器は、袋で柄をのぞく部分を覆うので、本体に糞がつかず衛生的である。また、糞が地面に落ちる前に受けるので、地面を汚さず、環境美化に役立つ。
【０００６】
「実施形態の効果」
この実施形態によれば、腕状部分のスプリング効果で、袋にたいして適度の張力をあたえ、しかも複数種のサイズの袋に対応できる。この方法では、袋の保持に特殊な構造が不要であり、また、ゴム輪や袋を受ける袋など他の部品を必要としない。
【０００７】
「他の実施形態」
図１の実施形態では、袋を係止するために突起を、柄の部分に２個設けたが、中央に１個設けてもよい。
【０００８】
【発明の効果】
以上説明したように、この発明によれば、腕部分のスプリング効果により複数のサイズの袋を使用出来るため、専用の袋を必要とせずあり合わせのレジ袋等を使用することが可能となる。
【０００９】
構造が簡単なため軽量で、広く利用されるように安価に製造する事が可能である。
【図面の簡単な説明】
【図１】この発明の一実施形態を示す正面図である。
【図２】この発明の一実施形態を示す斜視図である。
【図３】この発明の一実施形態を示す斜視図である
【図４】この発明の一実施形態を示す斜視図である。
【図５】従来技術を示す正面図である。
【符号の説明】
１  切り欠き部
２  腕
３  突起
４  リブ
【図１】
2004242520.tif 000003
【図２】
2004242520.tif 000004
【図３】
2004242520.tif 000005
【図４】
2004242520.tif 000006
【図５】
2004242520.tif 000007
(57)【要約】【課題】これまでコンクリート擁壁、鋼矢板擁壁などを使用し、また、生息・生育環境の保全・修復やヒートアイランド現象を抑制などに対する配慮がほとんど見られなかった。その結果、様々な弊害が発生し、我々の生活環境が、脅かされている現状にあるといえる。それにともない近年では、「耐久性・安全性」と「緑化・自然再生効果」を併せ持つ擁壁の開発が求められつつある。したがって、コンクリート本来の基盤としての安全性・耐久性を確保しつつ、地域の自然生態系に配慮するために必要な植生基盤構造を付加し、社会資本整備との環境保全の両立を図っていく事である。【解決手段】コンクリートブロックに植栽用空間を設けその空間に植生基盤材と植物の根を一定期間養生して根付かせた植物育成済みコンクリートブロックを提供する。製品を出荷する前にコンクリートブロックと植物が一体化しているので製品施工後は確実に生物層が回復する。【選択図】  図３
2004242517.tif 000002
【特許請求の範囲】
【請求項１】
既設のコンクリート・鋼矢板・一般建築物の壁などの表面に設置する植物育成済みコンクリートブロック。
【請求項２】
植物育成済みコンクリートブロックを使用した壁面・床面・屋上築造工法。
【発明の詳細な説明】
【０００１】
【発明の属する技術分野】
本発明は生物の棲息空間提供、ヒートアイランド現象の抑制、吸音効果などの機能を有する植物育成済みコンクリートブロックおよびそれを使用した護岸及び擁壁築造工法。
【０００２】
【従来の技術】
従来のコンクリート製品は工場や施工現場で製造したコンクリートブロックを設置施工した後に植栽を施す。
【０００３】
植物の養生期間がないのでコンクリートブロックと植物が一体化しにくくまた植物群落を形成しにくい。
【０００４】
【発明が解決しようようとする課題】
これまで日本における社会資本整備による開発は、コンクリート擁壁、鋼矢板擁壁などを使用し、また、生息・生育環境の保全・修復やヒートアイランド現象を抑制などに対する配慮がほとんど見られない国づくりであった。その結果、様々な弊害が発生し、我々の生活環境が、脅かされている現状にあるといえる。それにともない近年では、「耐久性・安全性」と「緑化・自然再生効果」を併せ持つ擁壁の開発が求められつつある。したがって、解決しようようとする課題は、コンクリート本来の基盤としての安全性・耐久性を確保しつつ、地域の自然生態系に配慮するために必要な植生基盤構造を付加し、社会資本整備と環境保全の両立を図っていく事である。
【０００５】
【課題を解決するための手段】
コンクリートブロックに植物を一定期間養生して活着させた植物育成済みコンクリートブロックを提供する。
【０００６】
【発明の実施の形態】
コンクリートブロックを工場や現場で製造し、コンクリートブロックが有する植栽用空間に植生基盤材と植物を一定期間以上養生する。その後植物育成済みコンクリートブロックを水路・河川・道路・擁壁・建築物擁壁・屋上・河床や構造物などに使用する。
【０００７】
【実施例】
図１から図３で説明する。
【０００８】
図１から図３のコンクリートブロックＣの空間Ａに植生基盤材Ｂを充填し植物を根付かせる。
【０００９】
植物が根付いた植物育成済みコンクリートブロックは、出荷時に茎や葉を切り落とす。根と基盤材とブロックだけにしても数ヶ月で植生は回復する。
【００１０】
図３および図４のように擁壁や床面に植物育成済みコンクリートブロックを設置することで確実な生物層が形成される。
【００１１】
コンクリートブロックはポーラスコンクリートなどの植物にやさしいコンクリートを使用する。
【００１２】
図１から図２の植物育成済みコンクリートブロックの擁壁への取り付けは、アンカーおよびボルトを使用する、接着剤で貼り付ける、引っ掛け金具を用いて接続する方法で設置する。
【００１３】
【発明の効果】
擁壁前面に設置された植物育成済み植生基盤層の複雑かつ多様な空間と、それに進入する欠けは環境保全空間を提供する。
【００１４】
環境保全ボード層の多様な空隙が吸音効果を発揮する。
【００１５】
建築物の壁面・屋上などに使用し植栽することで人の心に安らぎを与え、大気中の二酸化炭素を消費するので地球温暖化防止効果や断熱効果も発揮する。
【００１６】
設置環境（水辺、水中、乾燥地等）を考慮した植栽種選定により、植物の定着率が高くなる。
【００１７】
在来種を主とする幅広い種の使用により、周辺の植生に悪影響を与えない。
【図面の簡単な説明】
【図１】本発明による植物育成済みコンクリートブロック製品側面図
【図２】本発明による植物育成済みコンクリートブロック製品平面図
【図３】本発明による植物育成済みコンクリートブロックを使用した擁壁築造工法
【図４】本発明による植物育成済みコンクリートブロックを使用した床面築造工法、
【符号の説明】
Ａ植栽用空間
Ｂ植生基盤材と根
Ｃコンクリートブロック本体
Ｄ植生基盤層
Ｅ擁壁１テーパー空間部
【図１】
2004242517.tif 000003
【図２】
2004242517.tif 000004
【図３】
2004242517.tif 000005
【図４】
2004242517.tif 000006
(57)【要約】      （修正有）【課題】グリル網の形状を固定すること無く、鎖による網状の変形可能なグリル網により、洗浄の安易性、携帯性の問題を向上させる。【解決手段】金属性の鎖を網状に編み上げ、周辺部をステー部に固定しグリル網を形成することで、グリル網として使用し、固定ステーから携帯変幻型グリル網を外すことによりコンパクトに収納することが可能になる。また、洗浄時に携帯変幻型グリル網にこびりついた汚れが鎖と鎖との摩擦により容易に洗浄する事がが可能となる。【選択図】図１
2004242698.tif 000002
【特許請求の範囲】
【請求項１】
金属性の鎖を網状に編み上げ、周辺部をステー部に固定しグリル網を形成することを特徴とする形状変幻型グリル網。
【請求項２】
金属性の鎖を網状に編み上げ、周辺部にワイヤーを通し、ワイヤー部をステー部に固定しグリル網を形成することを特徴とする請求項１記載の形状変幻型グリル網。
【請求項３】
金属性の鎖を網状に編み上げ、周辺部にワイヤーを通し、ワイヤー部の両端部をスプリングで結び、ステー部への固定を容易にすることを特徴とする請求項１記載の形状変幻型グリル網。
【発明の詳細な説明】
【０００１】
【発明の属する技術分野】
この発明は、グリル網の洗浄と携帯を容易にする形状変幻型グリル網に関する。
【０００２】
【従来の技術】
従来のグリル網は、図２に示すように、固定された枠に針金を編み上げた固定された形状のものである。
【０００３】
【発明が解決しようとする課題】
しかしながら、以上の従来技術によれば、洗浄の容易性、携帯性の問題が十分ではない。
【０００４】
そこで、この発明は、グリル網の形状を固定すること無く、鎖による網状の変形可能なグリル網により、洗浄の安易性、野外バーベキュウ等での携帯性の問題を向上させることを課題とする。
【０００５】
【課題を解決するための手段】
以上の課題を解決するために、請求項１の発明は、金属性の鎖を網状に編み上げ、周辺部をステー部に固定しグリル網を形成することを特徴とする形状変幻型グリル網である。
【０００６】
また、請求項２の発明は、金属性の鎖を網状に編み上げ、周辺部にワイヤーを通し、ワイヤー部をステー部に固定しグリル網を形成することを特徴とする請求項１記載の形状変幻型グリル網である。
【０００７】
また、請求項３の発明は、金属性の鎖を網状に編み上げ、周辺部にワイヤーを通し、ワイヤー部の両端部をスプリングで結び、ステー部への固定を安易にすることを特徴とする請求項１記載の形状変幻型グリル網である。
【０００８】
また、請求項４の発明は、金属性の鎖を網状に編み上げ、周辺部にワイヤーを通し、ワイヤー部の両端部をスプリングで結び、ステー部への固定を安易にする為、ステーへの固定部に目印を付けたことを特徴とする請求項１記載の形状変幻型グリル網である。
【０００９】
【発明の実施の形態】
この発明の一実施形態を、図１に示す。
固定ステーの数箇所のハンガーに携帯変幻型グリル網のワイヤー部を固定する。
【００１０】
「実施形態の効果」
この実施形態によれば、固定ステーから携帯変幻型グリル網を外すことによりコンパクトに収納することが可能になる。また、洗浄時に携帯変幻型グリル網にこびりついた汚れが鎖と鎖との摩擦により容易に洗浄が可能となる。
【００１１】
「他の実施形態」
図１の実施形態では、網の形状が四角となっているが、鎖の形状、ワイヤーの形状により他の形状としても良い。また、スプリング部はコイル型を使用しているが他の形態のスプリングを用いても良い。
【００１２】
【発明の効果】
以上説明したように、この発明によれば、コンパクトな収納が可能となり、洗浄が鎖と鎖との摩擦により容易となる。
【図面の簡単な説明】
【図１】この発明の一実施形態を、生面図に示したものである。
【図２】従来技術を示す生面図である。
【符号の説明】
１鎖上の網            ２ワイヤー
３スプリング          ４固定ステーのハンガー
【図１】
2004242698.tif 000003
【図２】
2004242698.tif 000004
(57)【要約】【課題】ヨーグルト、乳酸菌飲料、納豆、キムチに含まれた微生物は、食品素材といっしょにそのまま口から飲み込むと、胃の中で胃液に直接触れ、変質した状態で腸へ送られることが多かった。本発明は、炭を用いてヨーグルト、乳酸菌飲料、納豆、キムチに含まれた微生物に胃液で変質しない隠れ家的スペースを与え、胃の中において胃液に触れず、口から飲んだときと同じ状態の微生物を腸まで送る容易な方法を提供することを目的としている。【解決手段】前記目的を達成するために、本発明は粉末状にした炭を用いる。まず粉末状の炭を乾燥させ、減菌処理を施し、ヨーグルト、乳酸菌飲料、納豆、キムチに炭を混ぜる。時間の経過により炭の表面に存在するミクロンサイズの穴まで素材が浸透するまで待つ。この方法を施したヨーグルト、乳酸菌飲料、納豆、キムチを飲み込むことで、ヨーグルト、乳酸菌飲料、納豆、キムチに含まれた微生物に粉末状の炭が胃液で変質しない隠れ家的スペースを与え、胃の中において胃液に触れず、口から飲んだときと同じ状態の微生物を腸まで容易に送ることができる。【特許請求の範囲】
【請求項１】
粉末にした炭を混ぜ、ヨーグルト、乳酸菌飲料、納豆、キムチに含まれた微
生物を口にから飲み込んだ状態のまま腸まで送る方法。
【発明の詳細な説明】
【０００１】
【発明の属する技術分野】
本発明は、ヨーグルト、乳酸菌飲料、納豆、キムチに含まれた微生物を炭を用いて口から腸まで変質させずに送る方法に関する。
【０００２】
【従来の技術】
ヨーグルト、乳酸菌飲料、納豆、キムチに含まれた微生物を腸へ送る方法は、食品素材といっしょにそのまま口から飲み込むしかなかった。
【０００３】
【発明が解決しようとする課題】
ヨーグルト、乳酸菌飲料、納豆、キムチに含まれた微生物は、食品素材といっしょにそのまま口から飲み込むと、胃の中で胃液に直接触れ、変質した状態で腸へ送られることが多かった。
本発明は、炭を用いてヨーグルト、乳酸菌飲料、納豆、キムチに含まれた微生物に胃液で変質しない隠れ家的スペースを与え、胃の中において胃液に触れず、口から飲んだときと同じ状態の微生物を腸まで送る容易な方法を提供することを目的としている。
【０００４】
【課題を解決する手段】
前記目的を達成するために、本発明は粉末状にした炭を用いる。まず粉末状の炭を乾燥させ、減菌処理を施し、ヨーグルト、乳酸菌飲料、納豆、キムチに炭を混ぜる。時間の経過により炭の表面に存在するミクロンサイズの穴まで素材が浸透するまで待つ。この方法を施したヨーグルト、乳酸菌飲料、納豆、キムチを飲み込むことで、ヨーグルト、乳酸菌飲料、納豆、キムチに含まれた微生物に粉末状の炭が胃液で変質しない隠れ家的スペースを与え、胃の中において胃液に触れず、口から飲んだときと同じ状態の微生物を腸まで容易に送ることができるようになる。
【発明の実施の形態】
【０００５】
粉末状にした炭を用意する。まず炭を乾燥させ、減菌処理を施し、ヨーグルト、乳酸菌飲料、納豆、キムチに炭をよくかき混ぜる。
【０００６】
時間の経過により炭の表面に無数に存在するミクロンサイズの穴まで食品素材に含まれる液が浸透するのを待つ。
【０００７】
この方法を施したヨーグルト、乳酸菌飲料、納豆、キムチを飲み込む。
【０００８】
【発明の効果】
本発明により、ヨーグルト、乳酸菌飲料、納豆、キムチに含まれた微生物に粉末状の炭が胃液で変質しない隠れ家的スペースを与え、胃の中において胃液に触れず、口から飲んだときと同じ状態の微生物を腸まで容易に送ることができる。
(57)【要約】【課題】この発明は、魚類及び肉類等の味噌漬を作るとき、素材に味噌が付着しないように、たとえば、乾燥味噌を、水分透過性の不織布のシートや干しのりに澱粉又はふのりの接着剤で接着し、味噌漬が簡単にできるように工夫した乾燥食材シートを提供する。【解決手段】水分透過性のシート（１）にフリーズドライパウダー調味素材（２）を澱粉又はふのり等の接着剤（３）で接着したことを特徴とする。【選択図】  図１
2004242662.tif 000002
【特許請求の範囲】
【請求項１】
水分透過性のシート（１）にフリーズドライパウダー調味素材（２）を澱粉又はふのり等の接着剤（３）で接着した乾燥食材シート。
【請求項２】
昆布、ワカメ（４）にフリーズドライパウダー調味素材（２）を澱粉又はふのりの接着剤（３）で接着した乾燥食材シート。
【請求項３】
不織布のシートにフリーズドライパウダーの泥、薬草、海草等の栄養素材（５）を澱粉又はふのり等の接着剤（３）で接着した乾燥食材シート。
【発明の詳細な説明】
【０００１】
【発明の属する技術分野】
この発明は、魚類及び肉類等の味噌漬を作るとき、素材に味噌が付着しないように、たとえば、乾燥味噌を、水分透過性の不織布のシートや干しのりに澱粉又はふのりの接着剤で接着し、味噌漬が簡単にできるように工夫した乾燥食材シートに関するものである。
【０００２】
【従来の技術】
従来、魚類及び肉類等の味噌漬をする場合の手順は、まず容器に味噌を敷き、その上に魚類及び肉類等の素材を載せ、また、味噌を塗るというように付け込んでいた。
【０００３】
【発明が解決しようとする課題】
これは、つぎのような欠点があった。
（イ）味噌がばらばらになり、指についたりして気持ちが悪かった。
（ロ）味噌の匂いが強すぎた。
（ハ）味噌が無駄になっていた。
（ニ）魚類及び肉類等の素材に味噌がついていた。
（ホ）素材に味噌が付着していたため、焼いて食べるとき味噌が焼けて素材が黒くなっていた。
本発明は以上のような欠点をなくすためになされたものである。
【０００４】
【課題を解決するための手段】
水分透過性のシート（１）にフリーズドライパウダー調味素材（２）を澱粉又はふのり等の接着剤（３）で接着する。
昆布、ワカメ（４）にフリーズドライパウダー調味素材（２）を澱粉又はふのりの接着剤（３）で接着する。
不織布のシートにフリーズドライパウダーの泥、薬草、海草等の栄養素材を澱粉又はふのり等の接着剤（３）で接着する。
本発明は、以上のような構成よりなる、味噌乾燥シートである。
【発明の実施の形態】
以下、本発明の実施の形態について説明する。
水分透過性のシート（１）にフリーズドライパウダー調味素材（２）を澱粉又はふのり等の接着剤（３）で接着した乾燥食材シート。
一実施例として、乾燥味噌の材料は、赤味噌、西京味噌等を使う。
昆布、ワカメ（４）にフリーズドライパウダー調味素材（２）を澱粉又はふのりの接着剤（３）で接着した乾燥食材シート。
不織布のシートにフリーズドライパウダーの泥、薬草、海草等の栄養素材を澱粉又はふのり等の接着剤（３）で接着した乾燥食材シート。
他の実施例として、美容用のシートと顔マスクなどに応用できる。
顔マスクには、目と鼻の部分には切り込み（６）を入れる。
本発明は、以上のような構造で、この使い方を説明する。
本発明の味噌乾燥シートで素材をくるんだり、敷くなりして使用する。
本発明は、シート状になっているので、素材に余分な味噌が付かず素材に味噌が浸透して手を汚さずに簡単に味噌漬けが出来る。
干した海苔に味噌を薄く塗り乾燥させた味噌を付着させて使用すれば、味噌味の手巻き寿司等の食材にもなる。
食品分野における調味素材をフリーズドライ化し、シートに接着することにより、食材といて、いろいろな味付シートが可能になる。
ドライ化したものは、水分を含むと素に戻り風味も出る。
長期間保存することが出来る。
【０００６】
【発明の効果】
シート状のものに乾燥させた味噌を澱粉、ふのり等で付着させ、乾燥させたもので素材をくるんだり、敷くなりして使用することによって、素材に余分な味噌が付かず素材に味噌が浸透して手を汚さずに簡単に味噌漬けが出来る。
干した海苔に味噌を薄く塗り乾燥させた味噌を付着させると味噌味の手巻き寿司等の食材にもなる。
取扱いが簡単で、一様な品質が保てる。
製造が簡単で、味噌の風味も損なわない。
風味も簡単に維持できる。
本発明のシートは薄いので、おにぎりなどに付帯させて提供できる。
【図面の簡単な説明】
【図１】本発明の斜視図である。
【図２】本発明の断面図である。
【図３】本発明の平面図である。
【図４】本発明の他の実施例を示した斜視図である。
【図５】本発明の他の実施例を示した断面図である。
【図６】本発明の他の実施例を示したした平面図である。
【図７】本発明の応用例を示したした平面図である。
【符号の説明】
１  シート
２  乾燥食材
３  澱粉又はふのりの接着剤
４  干しのり
５  栄養食材
６  切り込み
【図１】
2004242662.tif 000003
【図２】
2004242662.tif 000004
【図３】
2004242662.tif 000005
【図４】
2004242662.tif 000006
【図５】
2004242662.tif 000007
【図６】
2004242662.tif 000008
【図７】
2004242662.tif 000009
(57)【要約】【目的】本発明は、中通し用、外通し用のトップに使う釣糸ガイドの改良に関する発明である。【構成】本発明は、上記の目的を達する為、釣糸ガイドの改良をし、それに伴って１つの釣糸ガイドで２つの方式の釣りを可能せしめたものである。【選択図】  図３
2004242650.tif 000002
【特許請求の範囲】
【請求項１】
一定の長さに引き伸ばしたスプリングの一方に硬質ガイドリングを取付けたパイプを固定化し、もう一方は竿の先端に取付けられる様な構造の釣糸ガイド。
【請求項２】
上記の釣糸ガイドの竿の取付け部のパイプに横穴を明け、外通しの導糸をスプリング内部に導入する構造の釣糸ガイド。
【発明の詳細な説明】
【０００１】
【産業上の利用分野】
本発明は、釣竿の先端の糸案内に関する改良の発明である。
【０００２】
【従来の釣竿】
リールを使用する竿には、▲１▼竿の外側に釣糸ガイドを取付けて釣糸を案内する方式と、▲２▼リールから出た糸を竿の内部にもぐらせて竿の内部を糸が通る方式のものがある。▲１▼の方式を外通しとすると、▲２▼の方式は中通しと呼ぶことが出来ます。
▲１▼の方式は釣糸ガイドをたくさん取付けなくてはならない上に、糸がからみやすい。▲２▼の方式は釣糸ガイドは少なくてすむ上に、糸がらみがなくなる。しかし、竿の調子が思う様に作り出せないことと、竿の内部が塩とゴミで目詰まりしてしまう。以上が常につきまとう問題点であった。特にヘチ竿と申す中通し竿は内径が１ｍｍ程にもしぼり込まねばならず、ここまで細くしても、所詮外通しの０．５ｍｍのムクの竿先の曲りの良さには及ぶものではない。しかし、夜釣りなどで糸がらみがしない方が良いということで、一時は流行したが、目詰まりで糸が出なくなり、ついには、各メーカーとも市場より撤退を余儀なくされたのが現在の状況である。目詰まりで糸が出なくなるという問題は、黒鯛釣りは重りが大変軽く、えさと合せても非常に軽いので、目詰まりは致命的な欠点と言える。又、穂先の先端から５〜１０ｃｍの間の曲りの良さが必要とされるデリケートな釣りの最たるものである。一方、外通しの竿は０．５ｍｍの穂先なので曲りは良いが、糸がからんだり、仕掛けを釣糸ガイドに巻き込み穂先を折るという欠点もある。
【０００３】
【本発明の目指すもの】
本発明は、まず中通しの穂先の曲りの良さを、外通しのものと同じ性能にすることと、目詰まりを起こさせず糸の出が良くなることと、外通しの導糸を本発明の釣糸ガイドの中に導入し、竿の穂先の折れるのを防いだり、糸がらみを防止したりすることを主な目的とする。
【０００４】
【実施例】
図１は、本発明の断面図で▲５▼の中通し竿の先端に本発明を取付けたもので、パイプ▲４▼にスプリング▲３▼を取付け、パイプ▲２▼の先端にはガイドリング▲１▼が取付けられている。それぞれの部品は各固定化されている。
図２は、本発明のスプリングが負荷によって曲げられた状態を示す外観図である。
図３は、外通し竿の糸を、本発明の釣糸ガイドに導入した状況をあらわす断面図である。
図４は、外通し竿のムク材のソリットについている釣糸ガイド▲７▼より糸を内部に導入した断面図である。
【０００５】
【釣糸ガイドの構造】
本発明の構造は図１を見れば分かる様に、スプリング▲３▼がかなりの長さを有しており、その両端にパイプを取付け、一方の先端部分には硬質なガイドリング▲１▼を取付ける。必要に応じては図３、図４の様に外通し竿のトップガイドとしての性能も有することが出来る構造である。長めのスプリングであるので、負荷に対しては大変に曲りの良いものが出来る。このスプリングの強さによって、さらに微調整が出来る。外通しを本発明の内部に導入するのには、長穴Ｈを明け、片足ガイド▲７▼のラインの高さを調節すれば、糸がパイプや竿端に擦れたりしないものが出来る。
【０００６】
【従来の技術】
従来のトップガイドは、パイプの先端にガイドリングを取付けたものがある。又、そのパイプ先端の側面に穴を明けて水切りを良くしたりするものしかなかった。
【０００７】
【発明の効果】
本発明は、まず曲りの良さの点では、スプリング効果によって外通しと同じ性能にすることが出来た。次にスプリングの間隔をあけることで水切りとゴミの付着をうながし、中通し竿本体の内部にそれらが進入するのを防ぐことが出来る。しかも、付着したものは刷毛で外側から擦れば取ることが出来る。スプリングによる曲りの良さは、従来の中通し竿より太くしても曲がりは良くなるので、太くした分、糸の動きが良くなり、目詰まりに対してはその点からも効果が上がる。外通し竿の先端に本発明のトップガイドを取付ければ先端の糸がらみがなくなり、さらには中通し竿に外通し用のガイドをあらかじめ取付けておけば、１本の竿で外通しと中通しの竿の両用にすることも出来る。先端にスプリングを付けた本発明は、万一仕掛けを巻き込んでも竿を折る方向に力がかからず、スプリングが少し縮んだりするだけで、それ以上リールを巻いてもすごい力を要する様になり、異常に気が付くので竿を折らないですむ。現在の様に釣竿が売れなくて困る時代には、この様に一見して新規なデザインは販売促進にはうってつけのものとなりうる。
【図面の簡単な説明】
【図１】本発明を中通し竿の先端に取付けた断面図である。
【図２】本発明の曲った状態の外観図である。
【図３】本発明の外通しの糸を中に導入した断面図である。
【図４】上記図３の竿先端に▲８▼ソリット（ムク材）を使用した断面図である。
【符号の説明】
▲１▼    ガイドリング
▲２▼    先端パイプ
▲３▼    スプリング
▲４▼    パイプ
▲５▼    中通し竿
▲６▼    穴あきパイプ
▲７▼    片足ガイド
▲８▼    ソリット
Ｈ    長穴
【図１】
2004242650.tif 000003
【図２】
2004242650.tif 000004
【図３】
2004242650.tif 000005
【図４】
2004242650.tif 000006
(57)【要約】【課題】本発明は、水戻しの手間と時間を節約できる乾貨キンコの加工法を課題とした。【解決手段】凍結乾燥の応用により多孔質に仕上げ、水還元性の高い乾貨キンコを作った。【特許請求の範囲】
【請求項１】
短時間で食用可能な状態に水戻し出来る乾貨キンコ。
【発明の詳細な説明】
【０００１】
【発明の属する技術分野】
この発明は、水戻しの手間と時間を節約できる乾貨キンコに関するものである。
【０００２】
【従来の技術】
従来の乾貨キンコ、（つまり  干しなまこ）は自然乾燥のため、水戻しに、煮ては冷まし、煮ては冷ましを、一週間以上くり返すことによりようやく食用可能な状態になる、大変手間と時間のかかる食物だった。そのため中華料理のなまこ料理は非常に高価な物にならざるを得なかった。
【０００３】
【発明が解決しようとする課題】
本発明は、水戻しの手間と時間を節約できる乾貨キンコの加工法を課題とした。
【０００４】
【課題を解決するための手段】
従来自然乾燥していた茹でなまこを、凍結乾燥させることにより多孔質に仕上げ水還元性の高い乾貨キンコに仕上げた。
【０００５】
【発明の効果】
本発明はその性質から、乾貨キンコの水戻しの手間と時間を節約でき、また、その結果安価ななまこ料理の可能性を開いた。
(57)【要約】【課題】大きな植木が植えられず、屋上の緑化工事が出来なかった。【解決手段】本発明は擬岩石に請求項１および請求項２の手段をとっている【選択図】  図４
2004242655.tif 000002
【特許請求の範囲】
【請求項１】
大きい発砲スチルを石の形に似たように切り俵面に小石、石を埋め込む石と石の間にモルタールでぬり本物の庭石の用にぬった義岩石。
【請求項２】
発砲スチルを滝口の石の組方で発砲スチルを組、其の俵面に小石、石を埋め込んで石と小石の間にモルタールをぬり、石の色に似た色をモルタールに塗って庭石の用に表現した物。
【発明の詳細な説明】
【０００１】
【発明の属する技術分野】
本発明は、ビルの屋上とか大きな庭石の入れにくい所に義岩石なら簡単に入れる事が出来る。
【０００２】
ビルの屋上に植木を植える時に義岩を３〜４コつなぐと大きな植木を植える時の土とめにすることが出来ます。
【０００３】
【発明が解決しようとする課題】
大きな植木が植えられず、屋上の緑化工事が出来なかった。
【０００４】
【課題を解決するための手段】
上記目的を達成するために本発明は義岩石に請求項１および請求項２の手段をとっている。
【０００５】
上記のように構成された義岩石は造園工事作業において大変使用しやすい物である。
【０００６】
【実施例】
造園工事がスムーズに出来ます。
【０００７】
【発明の効果】
本発明は、以上説明したように構成されているので造園工事を容易に効率よくきれいな庭園が出来ます。
【図面の簡単な説明】
【図１】発砲スチル
【図２】庭石
【図３】発砲スチルに庭石を入れ込んだ義岩石
【図４】図３の義岩石の工法で滝口の石組みの上に組み上げた図
【符号の説明】
１    発砲スチル
２    石
３    モルタールを塗った部分
【図１】
2004242655.tif 000003
【図２】
2004242655.tif 000004
【図３】
2004242655.tif 000005
【図４】
2004242655.tif 000006
【手続補正書】
【提出日】平成15年5月26日(2003.5.26)
【手続補正１】
【補正対象書類名】明細書
【補正対象項目名】全文
【補正方法】変更
【補正の内容】
【特許請求の範囲】
【請求項１】大きい発砲スチルを石の形に似たように切り俵面に小石、石を埋め込む石と石の間にモルタールでぬり本物の庭石の用にぬった擬岩石。
【請求項２】発砲スチルを滝口の石の組方で発砲スチルを組、其の俵面に小石、石を埋め込んで石と小石の間にモルタールをぬり、石の色に似た色をモルタールに塗って庭石の用に表現した物。
【発明の詳細な説明】
【０００１】
【発明の属する技術分野】
本発明は、ビルの屋上とか大きな庭石の入れにくい所に擬岩石なら簡単に入れる事が出来る。
【０００２】
ビルの屋上に植木を植える時に擬岩を３〜４コつなぐと大きな植木を植える時の土とめにすることが出来ます。
【０００３】
【発明が解決しようとする課題】
大きな植木が植えられず、屋上の緑化工事が出来なかった。
【０００４】
【課題を解決するための手段】
上記目的を達成するために本発明は擬岩石に請求項１および請求項２の手段をとっている。
【０００５】
上記のように構成された擬岩石は造園工事作業において大変使用しやすい物である。
【０００６】
【実施例】
実施例について図面を参照して説明すると図１と図２を取り入れる事によって造園工事がスムーズに出来ます。
【０００７】
【発明の効果】
本発明は、以上説明したように構成されているので造園工事を容易に効率よくきれいな庭園が出来ます。
【図面の簡単な説明】
【図１】発砲スチル
【図２】庭石
【図３】発砲スチルに庭石を入れ込んだ擬岩石
【図４】図３の擬岩石の工法で滝口の石組みの上に組み上げた図
【符号の説明】
１    発砲スチル
２    石
３    モルタールを塗った部分
(57)【要約】【課題】浅漬けつけものの日持ちを延長さすこと。【解決手段】浅漬けつけものの原料である白菜や胡瓜を水洗、水切り後クロール水で殺菌を兼ねた洗浄を行い、次に調味剤を加えた前記クロール水に浅漬けするが、この時使うクロール水の原水を遠赤外線放射セラミックス処理するようにした。【選択図】    なし【特許請求の範囲】
【請求項１】
胡瓜、白菜等をクロール水と呼ばれる塩水で殺菌を兼ねた洗浄を行い、更に新たなクロール水をもとに味付け調整した調味液に胡瓜、白菜等を一定期間浸漬した浅漬つけものを製造する方法に於て前記クロール水の原水を予めセラミックスで処理することを特徴とする浅漬つけものの製造方法。
【発明の詳細な説明】
【発明の属する技術分野】
【０００１】
漬け物の漬け方、なかんづく浅漬つけものの作り方に関する。
【従来の技術】
【０００２】
従来浅漬つけものは飲料水（市水又は上水処理された水）を原料水としこれに食塩を重量基準で約５％濃度に溶解させた後、電気分解により生産される強酸性（次亜塩素酸濃度で約３０ｍｇ／ｌのもの、この時のｐＨは約３以下）のクロール水で浅漬対象の胡瓜、白菜等を洗浄しこれら胡瓜、白菜等に付着している雑菌等を殺菌した後、前記クロール水に調味料を加えて味を調整した味付クロール水に（味付クロール水と以下称す）前記クロール水で洗浄した浅漬対象の胡瓜、白菜等を所定の日数浸漬した後浅漬つけものとして包装し出荷販売していた。
【従来の技術の解決すべき課題】
【０００３】
上記のように従来の浅漬つけものはクロール水で洗浄し更に味付けクロール水に浸漬した後味付クロール水に漬けた状態（以下包装味付クロール水と称す）で密封袋詰めし出荷するが、出荷後１〜２日後より包装味付クロール水が濁ってくる。そしてそれにとどまらず場合によっては包装味付クロール水もしくはその中の浅漬つけものにカビが発生するようになる。浅漬つけものとして出荷された後数日で包装味付クロール水が濁ってくると食味に特に変化が生じなくとも消費者の購買意欲をそぐことになる。更にカビが発生するに至ってはもはや商品価値は失せる。そのため従来そのような浅漬つけものは廃棄処分せざるを得なかった。
【課題の解決方法】
【０００４】
本発明は上記浅漬つけものの品質変化特に浅漬つけものの包装容器内のカビの発生や包装味付クロール水の濁りの発生の抑制を行うために開発された技術である。本発明は上記浅漬つけものの原水（市水等上水）を遠赤外線放射セラミックス処理した後浅漬つけものの原料となる胡瓜、白菜等を洗浄殺菌するクロール水もしくは、その洗浄後浅漬とする味付クロール水として浅漬つけものに使うと包装中の浅漬つけものの味付クロール水の濁りの進行やカビの発生が抑制されることを実験的に見い出し本発明となった。
【実施例】
【０００５】
以下に１実施例を示す。
実験目的
浅漬つけものの調味液に及ぼすセラミックス処理水の効果
実験対象水
１）クロール水の製造方法
▲１▼水道水電解水（対象実験用；従来用水）
水道水に日本薬局方食塩を加えＮａＣｌ約５％濃度の塩水とした後電気分解処理を施し、次亜塩素濃度３０ｐｐｍ  ｐＨ３以下の強酸性のクロール水としたもの
▲２▼セラミックス処理電解水
上記▲１▼と同じ水道水（上水）を使ってクロール水を作るのであるが、その前に遠赤外線放射セラミックス充填筒に流速５０ｃｍ／分で通液し１．２分間接触照射（空筒流速計算）したものを使用．尚、電解水は（株）ホシザキ製（Ｒ０Ｘ−１０ＷＡ型）を使用した。
２）調味液
実験に使用した調味液は水道水の電解水、セラミックス処理電解水各々にＳ社の調味剤を等量（２６．１５ｇ）加えて各々４００ｍｌの味付クロール水とした。
３）対象野菜
生鮮白菜をトリミング（枯葉の除去）後４分割（検体）とし２検体を使用（各検体の白菜重量はほぼ同一の４００ｇを確認）
４）漬物の漬け方
下漬
▲１▼２検体の白菜を水道水で洗浄し水分を切った。
▲２▼各試験水でＮａＣｌ  ５．０５％のクロール水５００ｍｌ調整し、下漬液とした。
▲３▼下漬液に水切りした白菜を漬けて重石をして一晩おいた。
▲４▼その後充分に液切りを行った。
▲５▼各試験水のクロール水に調味剤２６．１５ｇを加え、漬け込み液の全量を４００ｍｌとした。
▲６▼液切りをした下漬品を漬け込み液に漬けて各試験検体とした。
５）評価方法及び項目
各漬け込み調味液より毎日３ｍｌ採取し、その液の濁度の経過日数毎で測定した。
比較実験結果
図１に浅漬つけもの調味液中の濁度の経日変化を示す。
【図１】
2004242659.tif 000002
図１の結果より水道水電解水使用の場合にはセラミックス処理電解水の場合に比し、つけものの調味液中の濁度（にごり）の発生が早いことが判る。このことは調味液中の濁りは微生物（乳酸菌と推定）の働きによるものと考えられるので遠赤外線放射セラミックス処理の検体は未処理の検体より菌類の増殖を抑制作用を有していると推定される。
【作用及び効果】
【０００６】
本発明は浅漬つけものに使う水を予め遠赤外線放射セラミックスとの接触処理することにより水分子にセラミックスからの微弱な波長３〜２０ミクロンの電磁波を作用させるものである。現在までにその作用状況はまだ明白に追究されてはいないが、セラミックスの遠赤外線放射効果が本発明の浅漬つけものの調味液中の菌の増殖の抑制効果をもたらしていると推定される、が本発明は現実に浅漬漬けもの用クロール水の原料となる水を遠赤外線放射セラミックス処理することによりそのつけものを浸している調味液中の菌の増殖を抑制することが見出されたことにより案出されたものである。
(57)【要約】【課題】鶏小屋の屋根が、夏に激しく加温され室内は死ぬ騒ぎ程に暑くなる。冷やす方法はないか？夏の暑さの中で弱野菜（葉物）はできないか？凍る冬の露地の畑で春秋野菜はできないか？冬の夜、ハウスの室温を１０℃以上に保てないか？。【解決手段】水の熱を利用します。水が入り、その水を循環させる機能をを持つカーペットを屋根上に覆います。水をカーペット内に、送水し、循環させると屋根下の室内を冷やします。水道水でも効果はあるが、井戸水を利用すれば理想的です。井戸水は年間を通して水温は安定していて、１３．５℃（群馬）です。夏の冷房の熱として、冬は暖房の熱として利用します。夏畑の畝にビニールマルチの替りに、このカーペットで覆い、井戸水を送水すると地表面の温度を下げ、弱野菜の栽培が可能になります。冬に栽培ハウスの外壁をこのカーペットで覆い、井戸水を送水し続けると夜の室温を１０℃以上に保ちます。【選択図】        図１
2004242658.tif 000002
【特許請求の範囲】
【請求項１】
水を入れ、その水を循環させる機能を持つビニール製の敷物（カーペット）。
【請求項２】
請求項１のビニール製の敷物の構造として、循環させる機能を持たせる為に２枚のビニールシートを重ね、蛇の歩みのごとく、誘導の道筋を溶着させて製作する。
【請求項３】
請求項１のビニール製の敷物の構造として、ビニールシートにビニールホースを溶着（接着）させて製作する。
【請求項４】
請求項３のシートに溶着させるホースの断面の形状は、丸、半円、楕円、三角形、台形で、製作する。
【請求項５】
請求項１の敷物は水の出入口が２つ以上ある構造で製作する。
【請求項６】
請求項１の敷物は用途により、縦、横に延長ができ、拡大する事を可能とする為、連結機能を持たせ、製作する。
【発明の詳細な説明】
【０００１】
【発明の属する技術分野】本発明は、水の保温性、断熱性を利用した、断熱皮膜材に、関するものです。
【０００２】
【従来の技術】ガラス温室や栽培用ハウスの周囲皮膜材は、一般的に薄いので外気温、太陽熱の影響を受け、室温調整に苦労しています。夏暑く、冬冷たく、昼夜の温度差も著しく変化します。その為、暖房機、冷房機を使用する。又温度調整のために換気を頻繁に繰り返す、大地の畑は敷きワラやビニールマルチ材を使用しています。
【０００３】
【発明が解決しようとする課題】プレハブ屋根や、牛、豚、鶏小屋の屋根が、夏に激しく加温され、室内は死ぬ騒ぎ程に暑くなる。暑さを和らぐことは、できないか？。夏の暑さの中で、弱野菜（葉物）は、できないか？。凍る冬の露地の畑で春秋野菜はできないか？。冬のハウス内の夜の温度を暖房なしで、１０℃以上で保てないか？。
【０００４】
【課題を解決するための手段】水の熱を利用する事で解決です。水は水道水でも良いが、地下水（井戸水）が理想的です。水が入り、その水を循環させる機能を持つビニール製の敷物（カーペット）を屋根上、あるいはハウス外壁に覆います。覆った後、水をカーペット内に送水し、循環させますと水囲いの屋根は室内を冷やします。水道水温は気温に影響されますが、井戸水温は年間を通して安定していて１３．５℃（群馬）です。夏は冷房の熱として、冬は暖房の熱として利用できます。夏の畑の畝にビニールマルチの替わりに、このカーペットで覆った後、井戸水を送水することで地表面の温度を下げ、弱野菜の栽培が可能となります。冬も同じことになります。只カーペットで畝を覆った後、ビニールトンネルを設けることをして、保温をしてやれば、春秋野菜を栽培することが可能となります。冬に栽培ハウスの外壁をこのカーペットで覆いカーペット内に井戸水を循環させると昼夜１０℃以上の室温を保ちます。
【０００５】
【発明の実施の形態】入口２から、注水４する、水は道筋に蛇の歩みのように、往復循環させる。循環する水１は自身の水温を放出しつつ、出口３より排出５される。
【０００６】
【発明の効果】このカーペットで、ハウスを覆い、井戸水を循環させることで、冷暖房にかかる、費用を大幅に減らせます。年間一定の温度を保つからです。
マルチ材として、このカーペットを利用すると、作物の収穫期を調整することが、できます。今まで使われたことのない、露地栽培の畑で冷暖房が、可能となるからです。ハウス施設がなくても、このカーペットと栽培用のトンネルを施すだけで、栽培方法も、栽培時期も、広がります。水を蓄えて保温熱利用ができ、循環させると一定温度を保ち、好きに温度調整が可能なのです、
【図面の簡単な説明】
【図１】斜視図      概要説明
【図２】斜視図      栽培マルチ材としての利用図
【図３】斜視図      シートとホース熔着図とホース断面形
【図４】鳥瞰図      牛小屋における施工説明
【図５】鳥瞰図      ビニールハウスにおける施工説明
【図６】斜視図      シートとホース熔着図と施工説明
【符号の説明】
１、循環する水
２、入口
３、出口
４、注水
５、排水
６、カーペットの連結具
【図１】
2004242658.tif 000003
【図２】
2004242658.tif 000004
【図３】
2004242658.tif 000005
【図４】
2004242658.tif 000006
【図５】
2004242658.tif 000007
【図６】
2004242658.tif 000008